(57)【要約】      （修正有）【課題】  注いだあと醤油、ソース等が注ぎ口から垂れない液体供給装置を実現する。【解決手段】  醤油注し１０の注ぎ口６の内周に突条７を形成して毛細管現象を強化する。前記注ぎ口６の前端から奥に行くに従ってその高さが増すようにすることにより、毛細管現象がさらに一層強化されるような前記突条７を形成する。【選択図】  図６
2006218190.tif 000002
【特許請求の範囲】
【請求項１】
注ぎ口を有し、該注ぎ口内周に突条が形成されている
ことを特徴とする液体供給容器。
【請求項２】
前記注ぎ口の前端から奥に行くに従ってその高さが増すように前記突条が形成されている
ことを特徴とする請求項１に記載の液体供給容器。
【発明の詳細な説明】
【技術分野】
【０００１】
本発明は液体供給容器に関し、特に醤油注し、ソース注しとして好適な液体供給容器に関する。
【背景技術】
【０００２】
液体供給容器、例えば醤油注し等に関する発明としては、例えば下記公報記載のものがある。醤油注し等では、容器の取り落とし、転動などが多い。そこでこの発明では、これらが起こりにくいよう容器の外形に工夫を加えている。
【特許文献１】特開平１０−８１３３９号公報
【発明の開示】
【発明が解決しようとする課題】
【０００３】
液体供給容器では、上記課題のほか、醤油等を注いだあと注ぎ口から液が垂れ、容器外周やテーブル等を汚すという課題がある。
従来、この課題については対処が不十分で、注いだあと液垂れする醤油注し等が数多く見受けられた。
本発明の目的は、この課題を解決し、注いだあと醤油、ソース等が注ぎ口から垂れない液体供給装置を実現することにある。
【課題を解決するための手段】
【０００４】
上記課題を解決するため請求項１の液体供給装置では、注ぎ口内周に突条が形成されている。
また、請求項２の液体供給装置では、注ぎ口の前端から奥に行くに従ってその高さが増すように請求項１にいう突条が形成されている。
【発明の効果】
【０００５】
注ぎ口の内周に突条を形成すると（請求項１）、注ぎ口内周に於て毛細管現象と思しきものが強化されるようである。請求項１の液体供給装置を例えば醤油注しとし、醤油を注いだあと垂直に立てる迄の注ぎ口内部空間の醤油液面の動きを観察して見ると、先ず醤油の流出が止まったとき、醤油の液面は注ぎ口前端に位置している。そのあと醤油注しを垂直に立てて行くと、それに従って液面が注ぎ口の奥へと円滑に後退して行く。この結果、注ぎ口から醤油等が垂れることは無い。
また、請求項２のように注ぎ口の奥に行くに従ってその高さが増すように突条を形成すると、上記毛細管現象と思しきものが一層強化されるようである。その結果、注ぎ口からの醤油等の液垂れが一層起こりにくくなる。
【発明を実施するための最良の形態】
【０００６】
以下、本発明の詳細を図示実施の形態例に基いて説明する。図１〜図７に第１の実施の形態例の醤油注し１０を示す。図１は正面図、図２は右側面図、図３は平面図、図４は注ぎ口６付近を取り出して示す拡大部分正面図、図５は注ぎ口６付近を取り出して示す拡大部分平面図、図６は図５Ａ１−Ａ２線に沿って切断して示す拡大部分断面図、図７（Ａ）、図７（Ｂ）、図７（Ｃ）は図５Ｂ１−Ｂ２線、図５Ｃ１−Ｃ２線、図５Ｄ１−Ｄ２線に沿って切断して示す拡大部分断面図である。
【０００７】
これら各図に於て、１は醤油注しの本体で、プラスチックを射出成型して成る。２は蓋で、これもプラスチックを射出成型して成る。本体１、蓋２はガラスその他の素材で形成しても良い。３はパッキングで、蓋２を本体１に締め付けたときこれらに挟み付けられ、醤油の漏出を防止している。４は取手で本体１と一体に形成されている。
【０００８】
注ぎ口６は本体１の上端近くに本体１と一体に形成されている。注ぎ口６の内周天井側には突条７が注ぎ口６と一体に形成されている。突条７は、注ぎ口６の前端から僅かに奥に入った位置から奥側開口端の僅か手前の位置まで形成されている。また、突条７は、図７（Ａ）〜（Ｃ）に示されるように頂点を下にした逆三角形を成す。更に、突条７は奥に従ってその高さが段々増すように形成されている。
【０００９】
なお、従来の注ぎ口が円筒形であったことを考えると、本発明で追加される突条７の断面は、上側が円弧で下側が逆三角形の扇形であると言える。但し、突条７の前端では逆三角形の頂点と円弧の中心とが重なっているので、そこでの垂直断面は正確な扇形と言えるが、突条７は奥に行くに従って高くなっているため逆三角形の頂点と円弧の中心とが一致せず、正確な扇形にはなっていない。
【００１０】
図８〜図１１に第２の実施の形態例の醤油注し２０を示す。図８は正面図、図９は注ぎ口１６付近を取り出して示す拡大部分正面図、図１０は図５Ａ１−Ａ２線と同じ切断線で第２の実施の形態例の醤油注し２０を切断して示す拡大部分断面図、図１１（Ａ）、図１１（Ｂ）、図１１（Ｃ）は図５Ｂ１−Ｂ２線、図５Ｃ１−Ｃ２線、図５Ｄ１−Ｄ２線と同じ切断線で第２の実施の形態例の醤油注し２０を切断して示す拡大部分断面図である。右側面図、平面図は第１の実施の形態例と同じなので示さない。
【００１１】
この第２の実施の形態例の醤油注し２０は、突条１７の形状が第１の実施の形態例の醤油注し１０とは異なる。他は同一である。突条１７は口蓋垂のような形状とされており、手前から奥に行くに従って段々高さが増すように形成されている。
このように突条１７の稜線に丸みを付けると、突条１７表面と醤油との馴染みが良くなる。この結果、注ぎ口１６の奥の方での毛細管と思しき現象が更に強化され、注ぎ口１６からの液垂れが一層確実に阻止される。
【００１２】
なお、各実施の形態例の醤油注し１０，２０では、奥に行くに従って高さが増すように突条７，１７を形成した。この形状は請求項２にいう液体供給容器の一実施の形態例に当る。突条７，１７を奥まで同じ高さにしても構わない。そうした場合は請求項１にいう液体供給容器の一実施の形態例に当る。
また、突条７、１７は注ぎ口６，１６内の天井側でなく、側面に形成しても良い。
注ぎ口の向きも任意である。図１２に第３の実施の形態例の醤油注し３０を示す。この実施の形態例３０のように注ぎ口２６を上方に向けても良い。
【産業上の利用可能性】
【００１３】
本願液体供給容器の用途は、醤油、ソース、酢その他の調味料や食品の供給に限られない。機械油その他の液体の供給にも使用出来る。
【図面の簡単な説明】
【００１４】
【図１】第１の実施の形態例の醤油注し１０を示す正面図。
【図２】第１の実施の形態例の醤油注し１０を示す右側面図。
【図３】第１の実施の形態例の醤油注し１０を示す平面図。
【図４】第１の実施の形態例の醤油注しの注ぎ口６付近を取り出して示す拡大部分正面図。
【図５】注ぎ口６付近を取り出して示す第１の実施の形態例の醤油注しの拡大部分平面図。
【図６】図５Ａ１−Ａ２線に沿って切断して示す第１の実施の形態例の醤油注し１０の拡大部分断面図。
【図７】（Ａ）は図５Ｂ１−Ｂ２線に沿って切断して示す第１の実施の形態例の醤油注し１０の拡大部分断面図、（Ｂ）は図５Ｃ１−Ｃ２線に沿って切断して示す同様の拡大部分断面図、（Ｃ）は図５Ｄ１−Ｄ２線に沿って切断して示す同様の拡大部分断面図。
【図８】第２の実施の形態例の醤油注し２０を示す正面図。
【図９】第２の実施の形態例の醤油注しの注ぎ口１６付近を取り出して示す拡大部分正面図。
【図１０】図５Ａ１−Ａ２線と同じ切断線に沿って切断して示す第２の実施の形態例の醤油注し２０の拡大部分断面図。
【図１１】（Ａ）は図５Ｂ１−Ｂ２線と同じ切断線に沿って切断して示す第２の実施の形態例の醤油注し２０の拡大部分断面図、（Ｂ）は図５Ｃ１−Ｃ２線と同じ切断線に沿って切断して示す同様の拡大部分断面図、（Ｃ）は図５Ｄ１−Ｄ２線と同じ切断線に沿って切断して示す同様の拡大部分断面図。
【図１２】第３の実施の形態例の醤油注し３０を示す右側面図。
【符号の説明】
【００１５】
１…醤油注し本体                      ２…蓋
３…パッキング                        ４…取手
６…注ぎ口                            ７…突条
１０…第１の実施の形態例の醤油注し    １６…注ぎ口
１７…突条                            ２０…第２の実施の形態例の醤油注し
２６…注ぎ口                          ３０…第３の実施の形態例の醤油注し
【図１】
2006218190.tif 000003
【図２】
2006218190.tif 000004
【図３】
2006218190.tif 000005
【図４】
2006218190.tif 000006
【図５】
2006218190.tif 000007
【図６】
2006218190.tif 000008
【図７】
2006218190.tif 000009
【図８】
2006218190.tif 000010
【図９】
2006218190.tif 000011
【図１０】
2006218190.tif 000012
【図１１】
2006218190.tif 000013
【図１２】
2006218190.tif 000014